(57)【要約】【課題】ドットが高密度に形成される特定の画像を記録するときに、浸透性の異なるインクを効果的に用いることができるインクジェット記録装置、インクジェット記録方法、およびプログラムを提供すること。【解決手段】ドットが高密度に形成される文字および線画の内の少なくとも一方の特定画像を記録するときに、その特定画像の外周領域は浸透性が比較的低いインクを用い、その特定画像の内部領域は浸透性が比較高いインクを用いて記録する。【選択図】図６
2012024972.tif 000002
【特許請求の範囲】
【請求項１】
記録データに基づいて記録ヘッドからインクを吐出して、記録媒体上にドットを形成することにより画像を記録するインクジェット記録装置において、
前記記録ヘッドは、第１のインクと、当該第1のインクと同色系のインクで且つ前記第１のインクよりも浸透性が低い第２のインクと、を吐出可能であり、
前記インクジェット記録装置は、文字および線画により構成される特定画像を前記第１および第２のインクを用いて記録し、前記特定画像以外の画像を前記第２のインクを用いずに第１のインクを用いて記録するための制御手段を備え、
前記制御手段は、前記特定画像の外周領域を前記第１のインクは用いずに前記第２のインクによって記録し、前記特定画像の内部領域を前記第２のインクは用いずに前記第１のインクによって記録する
ことを特徴とするインクジェット記録装置。
【請求項２】
前記内部領域に対応する記録データを間引くための間引き手段を備え、
前記制御手段は、前記間引き手段によって間引かれた記録データに基づいて、前記内部領域を記録することを特徴とする請求項１に記載のインクジェット記録装置。
【請求項３】
前記間引き手段は、前記記録媒体対するインクの浸透性に応じた間引き率によって、前記内部領域に対応する記録データを間引くことを特徴とする請求項２に記載のインクジェット記録装置。
【請求項４】
前記記録データに付与された前記特定画像に関する属性情報を判別するための判別手段をさらに備え、
前記制御手段は、前記特定画像に関する属性情報が付与された前記記録データに基づいて、前記特定画像を記録する
ことを特徴とする請求項１から３のいずれかに記載のインクジェット記録装置。
【請求項５】
前記制御手段は、前記第１のインクによって前記内部領域を記録した後に、前記第２のインクによって前記外周領域を記録することを特徴とする請求項１から４のいずれかに記載のインクジェット記録装置。
【請求項６】
前記第１および第２のインクは、ブラックのインクであり、
前記特定画像は、Ｒ＝０，Ｇ＝０，Ｂ＝０の画像を含む
ことを特徴とする請求項１から５のいずれかに記載のインクジェット記録装置。
【請求項７】
前記第１のインクの色材濃度は、前記第２のインクの色材濃度よりも高いことを特徴とする請求項１から６のいずれかに記載のインクジェット記録装置。
【請求項８】
記録データに基づいて記録ヘッドからインクを吐出して、記録媒体上にドットを形成することにより画像を記録するインクジェット記録装置において、
前記記録ヘッドは、第１のインクと、当該第１のインクと同色系のインクで且つ前記第１のインクよりも浸透性が低い第２のインクと、を吐出可能であり、
前記インクジェット記録装置は、文字および線画の特定画像を前記第１および第２のインクを用いて記録し、記録前記特定画像以外の画像を前記第２のインクを用いずに第１のインクを用いて記録するための制御手段を備え、
前記制御手段は、前記特定画像の外周領域を前記第１のインクは用いずに前記第２のインクによって記録し、前記特定画像の内部領域を前記第１のインクおよび前記第２のインクによって記録し、
前記内部領域における前記第２のインクの記録率は、前記内部領域における前記第１のインクの記録率以下である
ことを特徴とするインクジェット記録装置。
【請求項９】
記録データに基づいて記録ヘッドからインクを吐出して、記録媒体上にドットを形成することにより画像を記録するインクジェット記録方法において、
前記記録ヘッドは、第１のインクと、当該第1のインクと同色系のインクで且つ前記第１のインクよりも浸透性が低い第２のインクと、を吐出可能であり、
前記インクジェット記録方法は、文字および線画の特定画像を前記第１および第２のインクを用いて記録記録し、記録前記特定画像以外の画像を前記第２のインクを用いずに第１のインクを用いて記録するための制御工程を含み、
前記制御工程では、前記特定画像の外周領域を前記第１のインクは用いずに前記第２のインクによって記録し、前記特定画像の内部領域を前記第２のインクは用いずに前記第１のインクによって記録する
ことを特徴とするインクジェット記録方法。
【請求項１０】
記録データに基づいて記録ヘッドからインクを吐出して、記録媒体上にドットを形成することにより画像を記録するインクジェット記録方法において、
前記記録ヘッドは、第１のインクと、当該第1のインクと同色系のインクで且つ前記第１のインクよりも浸透性が低い第２のインクと、を吐出可能であり、
前記インクジェット記録装置は、文字および線画の特定画像を前記第１および第２のインクを用いて記録記録し、記録前記特定画像以外の画像を前記第２のインクを用いずに第１のインクを用いて記録するための制御工程を含み、
前記制御工程では、前記特定画像の外周領域を前記第１のインクは用いずに前記第２のインクによって記録し、前記特定画像の内部領域を前記第１のインクおよび前記第２のインクによって記録し、
前記内部領域における前記第２のインクの記録率は、前記内部領域における前記第１のインクの記録率以下である
ことを特徴とするインクジェット記録方法。
【請求項１１】
請求項９または１０に記載のインクジェット記録方法の前記制御工程をコンピュータにより実行させるプログラム。
【発明の詳細な説明】
【技術分野】
【０００１】
本発明は、記録媒体上にインクのドットを形成することによって画像を記録するインクジェット記録装置、インクジェット記録方法、およびプログラムに関するものである。
【背景技術】
【０００２】
インクジェット記録装置は、インクを吐出可能なインクジェット記録ヘッドを用い、その記録ヘッドから吐出したインクによって記録媒体上にドットを形成することにより、記録媒体上に画像を記録する。その記録媒体上のある記録対象の領域（記録対象領域）を一色でほぼ塗りつぶす場合には、その記録対象領域に、ドットを高密度に形成することになる。そのような場合には、その記録対象領域に大量のインクが吐出されるため、記録対象領域の外の領域（記録対象領域外）にまでインクが滲み、記録対象領域の外形が不明確になるおそれがある。
【０００３】
特許文献１には、記録対象領域の外形を明確化するために、浸透性が相対的に高いインクと、浸透性が相対的に低いインクと、を用いる記録方法が提案されている。浸透性が相対的に高いインクは、記録媒体に比較的浸透しやすいインク（以下、「超浸透インク」ともいう）であり、浸透性が相対的に低いインクは、記録媒体に比較的浸透しにくいインク（以下、「緩浸透インク」ともいう）である。特許文献１に記載の記録方法においては、記録対象領域を外周領域と内部領域とに分け、内部領域には超浸透インクによってドットを形成し、外周領域には緩浸透インクによってドットを形成する。
【先行技術文献】
【特許文献】
【０００４】
【特許文献１】特開２００３−０１１３３７号公報
【発明の概要】
【発明が解決しようとする課題】
【０００５】
しかし、写真のような自然画や黒色のグラデーション画像に対して、その外周領域と内部領域とを浸透性の異なるインクを用いて記録するような処理を行った場合には、記録画像の明部と暗部では視覚上の見え方が異なってしまう。これは、画像の明部では緩浸透インクが主に用いられ、一方、画像の暗部では、ドットが集中するために超浸透インクが用いられるからである。特に、画像の中間から暗部にかかる領域において、ドットの固まりが生じる部分では、超浸透インクと緩浸透インクとが混在することとなり、階調の段差の発生、および画像の均一性の低下等によって、画像品位の低下を招くおそれがある。
【０００６】
本発明の目的は、ドットが高密度に形成される特定の画像を記録するときに、浸透性の異なるインクを効果的に用いることができるインクジェット記録装置、インクジェット記録方法、およびプログラムを提供することにある。
【課題を解決するための手段】
【０００７】
本発明のインクジェット記録装置は、記録データに基づいて記録ヘッドからインクを吐出して、記録媒体上にドットを形成することにより画像を記録するインクジェット記録装置において、前記記録ヘッドは、第１のインクと、当該第1のインクと同色系のインクで且つ前記第１のインクよりも浸透性が低い第２のインクと、を吐出可能であり、前記インクジェット記録装置は、文字および線画の特定画像を前記第１および第２のインクを用いて記録記録し、記録前記特定画像以外の画像を前記第２のインクを用いずに第１のインクを用いて記録するための制御手段を備え、前記制御手段は、前記特定画像の外周領域を前記第１のインクは用いずに前記第２のインクによって記録し、前記特定画像の内部領域を前記第２のインクは用いずに前記第１のインクによって記録することを特徴とする。
【発明の効果】
【０００８】
本発明によれば、文字および線画の特定画像を記録するときに、その特定画像の外周領域は浸透性が比較的低いインクを用い、その特定画像の内部領域は浸透性が比較高いインクを用いて記録する。このように、ドットが高密度に形成される特定画像を記録するときに、浸透性の異なるインクを効果的に用いることにより、その特定画像の外形を明確に記録することができる。
【図面の簡単な説明】
【０００９】
【図１】本発明の第１の実施形態における記録装置の要部の概略斜視図である。
【図２】図１の記録装置の制御系のブロック構成図である。
【図３】図１の記録装置における記録データの処理方法の説明図である。
【図４】図１の記録装置に用いられるＫの記録データの生成処理の説明図である。
【図５】（ａ）から（ｄ）は、図４の記録データの生成処理におけるデータの説明図である。
【図６】（ａ）は、ブラックインク吐出用の記録ヘッドの説明図、（ｂ）は、本発明の第１の実施形態における復方向走査時のブラックインクの吐出順序の説明図、（ｃ）は、本発明の第１の実施形態における往方向走査時のブラックインクの吐出順序の説明図である。
【図７】（ａ）から（ｆ）は、本発明の第２の実施形態におけるＫの記録データの生成処理の説明図である。
【図８】（ａ）および（ｂ）は、本発明の第３の実施形態におけるＫの記録データの生成処理の説明図である。
【図９】（ａ）は、ブラックインク吐出用の記録ヘッドの説明図、（ｂ）は、本発明の第３の実施形態における復方向走査時のブラックインクの吐出順序の説明図、（ｃ）は、本発明の第３の実施形態における往方向走査時のブラックインクの吐出順序の説明図である。
【発明を実施するための形態】
【００１０】
以下、本発明の実施形態を図面に基づいて説明する。
【００１１】
（第１の実施形態）
図１は、本発明を適用可能なインクジェット記録装置１００の一例を示す要部の斜視図である。６つのインクタンク２７〜３２は、それぞれエッジ用ブラック、非エッジ用ブラック、エッジ用ブラック、シアン、マゼンタ、黄のインク（Ｋｅ、Ｋｍ、Ｋｅ、Ｃ、Ｍ、Ｙ）を収容している。エッジ用ブラックのインクは、後述するように浸透性が比較的低いインク（第２のインク）であり、非エッジ用ブラックのインクは、後述するように浸透性が比較的高いインク（第１のインク）である。これらのエッジ用ブラックおよび非エッジ用ブラックのインクは、略同一の色相を有する同色系のインクであり、記録媒体上に付与されたときにいずれも黒と認識される。これら６つのインクは、対応する６つの記録ヘッド２１〜２６のそれぞれに供給される。記録ヘッド２１〜２６は、インクタンク２７〜３２から供給されるインクを吐出可能に構成されている。記録ヘッドには、インクを吐出可能なノズルが複数形成されており、これらのノズルは、後述する副走査方向と交差（本例の場合は、直交）する方向に沿って並ぶノズル列を形成する。ノズルは、インクタンクから供給されるインクを吐出エネルギー発生素子を用いて、吐出口から吐出する構成となっている。吐出エネルギー発生素子としては、電気熱変換素子（ヒータ）やピエゾ素子などを用いることができる。電気熱変換素子を用いた場合には、その電気熱変換素子が発生する熱によりインクを発泡させ、その発泡エネルギーを利用して、吐出口からインクを吐出することができる。
【００１２】
搬送ローラ１３は、補助ローラ１４と共に記録媒体（記録用紙）１７を挟持しながら回転することにより、記録媒体１７を矢印Ｙの副走査方向に搬送する。給紙ローラ１５は、補助ローラ１６と共に記録媒体（記録用紙）１７を挟持しながら回転することにより、記録媒体１７を副走査方向に給紙する。これらのローラ１３〜１６は、記録媒体１７を保持する役割も担っている。キャリッジ１８は、インクタンク２７〜３２および記録ヘッド２１〜２６を搭載可能であって、これら記録ヘッドおよびインクタンクを搭載したまま、副走査方向と交差（本例の場合は、直交）する矢印Ｘの主走査方向に移動可能に構成されている。キャリッジ１８は、主走査方向に延在する不図示のガイドシャフトなどによって、主走査方向に沿って、矢印Ｘ１の往方向と矢印Ｘ２の復方向に往復移動可能にガイドされている。キャリッジ１８の移動中に記録ヘッドからインクが吐出されることにより、記録媒体に画像が記録される。キャリッジ１８は、記録ヘッド２１〜２６の回復動作時等の非記録動作時には、図中の点線で示すホームポジション位置ｈに待機するように制御される。
【００１３】
キャリッジ１８と共にホームポジションｈに待機している記録ヘッド２１〜２６は、記録開始命令が入力されると、キャリッジ１８と共に矢印Ｘ１の往方向に移動しつつ、インクを吐出して記録媒体１７上に画像を記録（往走査記録）する。この記録ヘッドの１回の移動（走査）によって、記録ヘッドにおける吐出口の配列範囲（ノズル列の形成範囲）に対応した幅の記録領域に対して記録が行われる。キャリッジ１８の往方向の１回の走査に伴う記録が終了すると、キャリッジ１８は、ホームポジションｈへ向かって矢印Ｘ２の復方向に移動し、その移動中に、記録ヘッドがインクヲ吐出することにより記録媒体１７上に画像を記録（復走査記録）する。往走査記録が終了してから、復走査記録を開始する前には、搬送ローラ１３が回転して、記録媒体１７を矢印Ｙの副走査方向へ所定量搬送する。このように、記録ヘッドによる記録動作と、記録媒体の搬送動作と、を繰り返すことにより、記録媒体１７上に画像の順次記録する。記録ヘッドからインクを吐出する記録動作は、後述する制御手段によって制御される。
【００１４】
インクタンク２７〜３２と記録ヘッド２１〜２６は、それぞれ分離可能にキャリッジ１８に搭載することができる。しかし、インクタンク２７〜３２と記録ヘッド２１〜２６とを一体化したカートリッジを用い、そのカートリッジをキャリッジに搭載する形態を採用してもよい。さらに、１つの記録ヘッドに、複数色のインクを吐出可能な複数のノズル列が形成された複数色一体型の記録ヘッドを用い、その記録ヘッドをキャリッジに搭載する形態を採用してもよい。
【００１５】
図２は、図１のインクジェット記録装置１００の制御系のブロック構成図である。インクジェット記録装置１００は、インターフェイス４０を介して、ホスト装置としてのホストコンピュータ（以下、「ホストＰＣ」という）１１０等のデータ供給装置に接続されている。データ供給装置から送信される各種データ、および記録に関連する制御信号等は、インクジェット記録装置１００の記録制御部４７に入力される。記録制御部４７は、インターフェイス４０を介して入力された制御信号にしたがって、後述のモータドライバ４３，４４およびヘッドドライバ４５を制御する。また、記録制御部４７は、入力される画像データの処理、および後述のヘッド種別信号発生回路４６より入力される信号の処理を行う。４１は、記録媒体１７を搬送させるための搬送ローラ１３を回転させる搬送モータである。４２は、記録ヘッド２１〜２６を搭載するキャリッジ１８を往復移動させるためのキャリッジモータである。４３，４４は、搬送モータ４１，キャリッジモータ４２をそれぞれ駆動するためのモータドライバである。４５は、記録ヘッド２１〜２６を駆動するためのヘッドドライバであり、記録ヘッドの数に対応して複数設けられている。また、４６はヘッド種別信号発生回路であり、キャリッジ１８に搭載されている記録ヘッド２１〜２６の種類や数を示す信号を記録制御部４７に供給する。
【００１６】
図３は、インクジェット記録装置とホストＰＣとで構成される画像処理システムにおいて、画像データの処理系の機能ブロック図である。インクジェット記録装置１００の記録制御部４７は、プリンタドライバがインストールされたホストＰＣ１１０から、インターフェイス４０を介して転送されるデータを処理する。
【００１７】
ホストＰＣ１１０は、アプリケーションから入力画像データＤ１を受け取る。この入力画像データＤ１は、後述する画像構成要素の種類に関する情報（画像の属性情報）関する情報を含んでいる。まず、受け取った入力画像データＤ１に対して、１２００ｄｐｉの解像度でレンダリング処理５１をすることにより、記録用の多値のＲＧＢデータＤ２を生成する。本実施形態では、ＲＧＢデータＤ２は２５６値のデータである。一方、入力画像データＤ１に基づいて、記録すべき画像内に含まれる複数種の画像構成要素を判別するためのオブジェクト判別処理５２を行う。本例の場合は、属性情報に基づいて、記録すべき画像が文字、線画、および純黒の画像であるか否かを判別する。純黒の画像は、Ｒ＝０，Ｇ＝０，Ｂ＝０で、Ｋの値が最大の画像である。本例では、文字、線画および純黒の画像は、「特定画像」ともいう。オブジェクト判別処理５２により判別された文字データＤ１０、線画データＤ２０、純黒データＤ３０のそれぞれに対して、レンダリング処理５３，５４，５５を施す。これにより、解像度１２００ｄｐｉの２値の文字オブジェクトデータＤ１１、２値の線画オブジェクトデータＤ２１、および２値の純黒オブジェクトデータＤ３１が生成される。以上のように生成された多値のＲＧＢデータＤ２、および２値のオブジェクトデータＤ１１，Ｄ２１，Ｄ３１は、記録制御部４７に転送される。以下においては、文字の属性情報が付与された文字データＤ１０、線画の属性情報が付与された線画データＤ２０、および純黒データＤ３０のそれぞれを「属性データ」、他の入力画像データを「無属性データ」ともいう。
【００１８】
記録制御部４７は、多値のＲＧＢデータＤ２を多値（２５６値）のＫＣＭＹデータＤ３に変換するための色変換処理６１を行う。次いで、量子化処理（例えば、誤差拡散処理）６２によって、多値（２５６値）のＫＣＭＹデータＤ３を量子化（２値化）する。これにより、解像度１２００ｄｐｉの２値のＫＣＭＹデータＤ４が生成される。一方、記録制御部４７に転送された２値のオブジェクトデータＤ１１，Ｄ２１，Ｄ３１のそれぞれに対して、非エッジ部検出処理６３，６４，６５を行う。これにより、エッジ部に関する２値のデータＤ１２，Ｄ２２，Ｄ３２と、非エッジ部に関する２値のデータＤ１３，Ｄ２３，Ｄ３３が生成される。データＤ１２は文字のエッジ部データ、データＤ１３は文字の非エッジ部のデータ、データＤ２２は線画のエッジ部データ、データＤ２３は線画の非エッジ部のデータ、データＤ３２は純黒のエッジ部データ、データＤ３３は純黒の非エッジ部のデータである。
【００１９】
２値のデータＤ４，Ｄ１２，Ｄ１３，Ｄ２２，Ｄ２３，Ｄ３２，Ｄ３３の内のＫ（ブラック）に関するデータに対しては、後述するＫ（ブラック）に関してのオブジェクト別データ処理が施される。このように処理されたインク色毎の記録データに基づいて、ヘッドドライバ４５が記録ヘッド２１〜２４を制御して、各色のインクによって画像を記録する。
【００２０】
図４は、Ｋに関してのオブジェクト別データ処理を説明するためのフローチャートである。このオブジェクト別データ処理は、２値のデータＤ１２，Ｄ１３，Ｄ２２，Ｄ２３，Ｄ３２，Ｄ３３と、２値のＫＣＭＹデータＤ４の内のＫデータと、を処理対象とする。
【００２１】
まず、処理対象のデータの内、着目画素のデータ（画像データ）が文字のエッジ部のデータ（エッジデータ）、線画のエッジデータ、または純黒のエッジデータのいずれかであるか否かを判定する（ステップＳ１）。文字、線画、および純黒のいずれのエッジデータでもないと判定されたデータに関しては、それが文字の非エッジ部のデータ（非エッジデータ）、線画の非エッジデータ、または純黒の非エッジデータのいずれかであるか否かを判定する（ステップＳ２）。このように文字、線画、および純黒のいずれかの非エッジデータと判定されたデータに対して、後述するように、間引きマスクを用いる間引き処理を施す。これにより、Ｋの文字、線画、および純黒の非エッジ部の間引きデータを生成する（ステップＳ３）。一方、注目画素のデータが属性データ（文字データ、線画データ、純黒データ）でないと判断された場合（Ｓ１でＮｏ且つＳ２でＮｏ）、Ｓ２からＳ５へと進む。このデータは多値のＫデータにおいてその値が最大とならないデータであって、２値のＫＣＭＹデータＤ４の内のＫデータに該当する。このようなデータの一例としては、写真やコンピュータグラフィックに含まれるＫデータである。
【００２２】
ステップＳ１において、文字、線画、または純黒のエッジデータと判定された画像データは、Ｋの文字，線画，および純黒のエッジデータが合成される（ステップＳ４）。ステップＳ３およびＳ４にて生成されデータと、ステップＳ２において文字、線画、および純黒のいずれの非エッジデータではないと判定されたデータ（２値のＫＣＭＹデータＤ４の内のＫデータ）は、Ｋの記録データを生成するように合成される（ステップＳ５）。
【００２３】
このように生成されたＫの記録データに基づいて、後述するように、エッジ用黒、非エッジ用黒、エッジ用黒のインクを吐出する記録ヘッド２１，２２，２３からブラックインクを吐出する。
【００２４】
図５は、入力画像データＤ１からオブジェクト別データ処理によってＫの記録データが生成されるまでの処理の概略を説明するための図である。入力画像Ｄ１が入力されると、オブジェクト判別処理５２によって、入力画像データＤ１に含まれる属性データが判別される。同図（ａ）は、入力画像データＤ１に対するオブジェクト判別処理５２の判定結果を図示しており、入力画像データＤ１には、文字データＤ１０、線画データＤ２０、純黒データＤ３０が含まれている。また、エッジ部検出処理６３〜６５により、文字データＤ１０、線画データＤ２０、純黒データＤ３０はそれぞれ、エッジ部データと非エッジ部データとに判別される。
【００２５】
次に、オブジェクト別データ処理６６では、属性データは、Ｓ１およびＳ２を経ることにより、エッジ部に関するデータＤ１２，Ｄ２２，Ｄ３２（図５（ｂ））と、非エッジ部に関するデータＤ１３，Ｄ２３，Ｄ３３（図５（ｃ））とに分けられる。図５（ｃ）に示す非エッジ部に関するデータＤ１３，Ｄ２３，Ｄ３３に対して、図４のＳ３において間引き処理が行われて、間引きデータＤ１４，Ｄ２４，Ｄ３４が生成される（図５（ｄ））。本例の間引きデータは、間引きマスクを用いて非エッジ部データを５０％間引くことによって生成される。
【００２６】
そして、このようにして生成された非エッジ部の間引きデータは、図４のＳ５においてエッジデータと合成され、Ｋの記録データが生成される。尚、入力画像データＤ１に特定画像以外の画像（２値のＫＣＭＹデータＤ４の内のＫデータＤ４１）が含まれる場合には、このタイミングでデータＤ４１も合成される。そして、Ｋの記録データに基づいて記録ヘッドが駆動され記録が行われる。
【００２７】
画像データからのエッジデータの抽出、および非エッジデータ生成方法は、当該事業者らにおいては周知であるため、ここでは説明を省略する。また本例では、入力データを多値のＲＧＢデータＤ２とした。しかし、入力データを多値のＣＭＹＫデータ、または２値のＣＭＹＫデータなどとしてもよく、この場合にも同様の効果を得ることができる。
【００２８】
図６（ａ）は、記録ヘッド２１〜２６の内のブラックインクに関する３つの記録ヘッド２１，２２，２３を示し、これらは、前述したＫの記録データに基づいてインクを吐出する。記録ヘッド２１および２３から吐出されるエッジ用の黒インクは緩浸透インクであり、記録ヘッド２２から吐出される非エッジ用の黒インクは超浸透インクである。記録ヘッドを矢印Ｘ２の復方向に走査させる場合には、記録ヘッド２２，２３を用いる。すなわち、図６（ｂ）のように、まずは、画像の内部領域（非エッジデータによる記録領域、および無属性データによる記録領域）を記録ヘッド２２から吐出する超浸透インクにより記録する。その後、画像の外周領域（エッジデータによる記録領域）を記録ヘッド２３から吐出する緩浸透インクにより記録する。一方、記録ヘッドを矢印Ｘ１の往方向に走査させる場合には、記録ヘッド２１，２２を用いる。すなわち、図６（ｃ）のように、まずは、内部領域（非エッジデータによる記録領域、および無属性データによる記録領域）を記録ヘッド２２から吐出する超浸透インクにより記録する。その後、外周領域（エッジデータによる記録領域）を記録ヘッド２１から吐出する緩浸透インクにより記録する。一方、特定画像以外の画像に対しては、記録ヘッド２２から吐出する超浸透インクにより記録し、滲みのない高品位の画像を記録することができる。尚、以上の説明では、文字、線画、純黒画像を「特定画像」とし、これらにエッジ処理を行うようにした。しかし、純黒画像は写真やグラフィック中のＫの値が最大となるの領域（画素領域）であり、写真やグラフィック中のこの領域だけエッジ処理を行うと、画像の均一性の低下を招くおそれがある。そのため、文字、線画のみを「特定画像」としてエッジ処理するようにしてもよい。
【００２９】
以上のとおり、ドットが高密度に形成される特定画像（文字、線画）を記録するときには、浸透性の異なるインクを効果的に用いることにより、その特定画像の外形を明確に記録することができる。また一方で、写真、グラフィック等の画像に対しては、Ｋの値が最大となる画素領域（純黒）にのみエッジ処理を行うか、または全くエッジ処理を行わないため、階調の段差の発生などの影響を軽減することが可能となる。  属性データによる記録領域との関連において、外周領域は、その属性データによる記録領域に含まれ、かつドットが形成されない不記録領域と接し、内部領域は、その属性データによる記録領域に含まれ、かつ外周領域と接する。
【００３０】
本例において使用する超浸透インクおよび緩浸透インクの組成は、次の通りである。なお、各成分の割合は質量部で示したものである（各成分の合計は１００質量部）。
【００３１】
（超浸透インク）
顔料分散液                                        ５０質量部
グリセリン                                        ６質量部
ジエチレングリコール                              ５質量部
アセチレノールＥＨ（川研ファインケミカル製）      １質量部
水                                                残部
【００３２】
（緩浸透インク）
顔料分散液                                        ５０質量部
グリセリン                                        ６質量部
ジエチレングリコール                              ５質量部
アセチレノールＥＨ（川研ファインケミカル製）      ０．１質量部
水                                                残部
また、上記顔料分散液次のようにして得た。
【００３３】
［顔料分散液］
表面積が２３０ｍ２／ｇでＤＢＰ吸油量が７０ｍｌ／１００ｇのカーボンブラック１０ｇと、ｐ−アミノ安息香酸３．４１ｇと、を水７２ｇによく混合した後、これに硝酸１．６２ｇを滴下して７０℃で攪拌した。数分後、５ｇの水に１．０７ｇの亜硝酸ナトリウムを溶かした溶液を加え、更に１時間攪拌した。得られたスラリーを東洋濾紙Ｎｏ．２（アドバンティス社製）でろ過し、顔料粒子を十分に水洗し、９０℃のオーブンで乾燥させた後、この顔料に水を足して顔料濃度１０質量％の顔料水溶液を作成した。以上の方法により、表面にフェニル基を介して親水性基が結合して、アニオン性に帯電した自己分散型カーボンブラックが分散された顔料分散液を得た。
【００３４】
本例においては、アセチレノールＥＨ（商品名；川研ファインケミカル社製）（エチレンオキサイド−２，４，７，９−テトラメチル−５−デシン−４，７−ジオール（ｅｔｈｙｌｅｎｅ  ｏｘｉｄｅ−２，４，７，９−ｔｅｔｒａｍｅｔｈｙｌ−５−ｄｅｃｙｎｅ−４，７−ｄｉｏｌ））という界面活性剤によって、超浸透インクと緩浸透インクの浸透性を相対的に変化させている。しかし、他の溶剤によって浸透性を変化させてもよい。
【００３５】
インクの組成は、記録装置の型式や記録媒体の種類などによって選択すべきである。上記組成は一例であり、本発明は、同一色相であって、相対的な浸透性が異なる２つのインクを用いることができればよい。
【００３６】
緩浸透インクによる記録領域は、超浸透インクによる記録領域と比較して、記録媒体上に露出する顔料分散体が多いため耐擦過性や耐マーカー性は劣る。そのため、緩浸透インクの顔料分散液重量比を超浸透性インクよりも少なくして、記録媒体上に露出する顔料分散体を減らすことにより、耐擦過性能と耐マーカー性を向上させることができる。超浸透インクに対する緩浸透インクの顔料分散液の重量比低減の程度は、記録装置の型式などに応じて調整すればよい。
【００３７】
本例で用いた色材は自己分散型顔料と称されるものであり、顔料粒子に親水基が付いている。一方、樹脂分散型顔料と称される色材は、顔料粒子に樹脂が付いており、その樹脂の親水基が水溶性を発揮する。発明者らの実験では、樹脂分散型顔料を用いた場合でも発明の効果は得られたが、自己分散型顔料を使用した場合にはより望ましい効果が得られた。
【００３８】
以上のように、画像構成要素の種類に関する情報（属性データ）に基づいて、超浸透性インクと緩浸透インクを選択的に用いる。すなわち、エッジ処理によって、文字、線画、純黒の画像の内部領域（非エッジ部）を浸透速度が速いインクを用いて記録することにより、耐擦過性や耐マーカー性を向上させることができる。さらに、画像の外周領域（エッジ部）は浸透速度が遅いインクを用いて記録することにより、画像端部のシャープネスを向上させることができ、文字品位や線品位が向上する。また、内部領域（非エッジ部）の記録データが間引かれることにより、記録媒体上でブリードやフェザリングを発生させずに、高品位の画像を記録することができる。さらに無属性データによって記録される写真のような自然画や黒色のグラデーション画像などにおいては、超浸透インクのみを使用することによって、画像品位を低下させることなく記録媒体に画像を記録することができる。
【００３９】
また、オブジェクト判別処理５２などのホストＰＣ１１０の機能は、それらの全て、または一部を記録装置１００の記録制御部４７に持たせてもよい。ホストＰＣ１１０と記録装置１００は記録システムとして機能してもよく、図３の種々の処理部はホストＰＣ１１０と記録装置１００に分けて備えることができる。
【００４０】
（第２の実施形態）
第１の実施形態においては、属性データの非エッジ部に対して、間引きマスクを用いて間引き処理（ステップＳ３）を行った。本実施形態では、その間引き処理における間引き率を記録媒体の浸透性に応じて変更する。そのために、記録媒体の浸透性に応じて間引きマスクを変更する。
【００４１】
記録媒体の種類に応じて間引きマスクを変更する理由は、記録媒体として、インク吸収特性がさまざまなものが上市されているためである。本発明者らによる動的浸透性テスター（ＥＭＣＯ社製）を用いての実験の結果、記録媒体としての普通紙は、インクの浸透性に応じて概ね３つのタイプに分類することができた。浸透性の高い記録媒体は、インクの吸収が速やかであるため、ブリードやフェザリングの発生が少ない。一方、浸透率の低い記録媒体は、インクの吸収が緩やかであるため、ブリードやフェザリングが発生しやすい傾向にある。
【００４２】
記録媒体の浸透性に関するデータ（浸透性属性データ）は、ユーザ指示により、ホストＰＣ１１０上のプリンタドライバから、インターフェイス４０を介して記録制御部４７に入力される。図４のステップＳ２において、属性データ（文字、線画、純黒データ）の非エッジ部と判定された画像データは、ステップＳ３において間引き処理される。その間引き処理における間引き率は、記録媒体の浸透性に応じて予め設定されている。本例においては、浸透率の高い記録媒体の群をＡ、それが中間の群をＢ、それが低い群をＣとした。Ａ群の記録媒体を用いた場合の間引き率は０％（間引かない）、Ｂ群の場合は２５％、Ｃ群の場合は５０％とした（Ａ＝０％（間引かない）、Ｂ＝２５％、Ｃ＝５０％）。
【００４３】
図７は、本実施形態において、入力画像データＤ１からオブジェクト別データ処理によってＫの記録データが生成されるまでの処理の概略を説明するための図である。同図は、文字、線画、および純黒の画像の非エッジ部に対する間引き処理において、浸透性属性データとしてＣ＝５０％が選択されたときの説明図である。
【００４４】
図７（ａ）は、入力画像Ｄ１を図示しており、この入力画像Ｄ１には文字データＤ１０、線画データＤ２０、純黒データＤ３０、および無属性データ（２値のＫＣＭＹデータＤ４の内のＫデータＤ４１）が含まれている。入力画像データＤ１は、オブジェクト判別処理５２によって、入力画像データＤ１に含まれる属性データが判別され、同図（ｂ）のように、文字データＤ１０、線画データＤ２０、純黒データＤ３０が判別される。また、これら属性データは、エッジ部検出処理６３〜６５により、エッジ部データと非エッジ部データとに判別される。
【００４５】
次に、オブジェクト別データ処理６６では、属性データは、Ｓ１およびＳ２を経ることにより、エッジ部に関するデータＤ１２，Ｄ２２，Ｄ３２（図７（ｃ））と、非エッジ部に関するデータＤ１３，Ｄ２３，Ｄ３３とに分けて生成される。非エッジ部のデータは、図７（ｂ）のデータと、図７（ｃ）のデータと、の否定論理積によって得ることができる。この非エッジ部のデータは、間引き率５０％のマスクとの論理積をとる間引き処理（ステップＳ３）が行われて、間引きデータＤ１４，Ｄ２４，Ｄ３４が得られる（図７（ｄ））。図７（ｅ）は、無属性データである２値のＫデータＤ４１を示している。
【００４６】
そして、このようにして生成されたエッジ部のデータ、非エッジ部の間引きデータ、および無属性データである２値のＫデータＤ４１は合成生成され（ステップＳ５）、このＫの記録データに基づいて記録ヘッドが駆動され記録が実行される。具体的には、記録データのうち、図７（ｃ）のエッジデータが緩浸透インクによって記録され、図７（ｆ）のデータが超浸透インクによって記録される。  この非エッジデータと、間引き率５０％のマスクと、の論理積をとる間引き処理（ステップＳ３）によって、図７（ｄ）のデータ３４ａ，３４ｂ，３４ｃ）が得られる。図７（ｅ）は、無属性データである２値のＫデータＤ４１である。図７（ｆ）は、図７（ｄ）のデータと、図７（ｅ）のデータＤ４１と、の論理和をとったデータである。
【００４７】
本実施形態においては、使用する記録媒体の浸透性をユーザがドライバ上で選択することにより、記録媒体の浸透性に適した非エッジデータの間引き処理（間引き率が異なる間引き処理）を行う。これにより、記録媒体上でのブリードやフェザリングの発生を抑えて、高品位の画像を記録することができる。なお、記録媒体の情報を取得する方法は、上記実施形態に限定されるものではない。例えば、発光素子と受光素子とから成る光学センサを記録装置に設けて、記録媒体の正反射光や拡散反射光に基づいて記録媒体の種類を判別し、その判別結果から記録媒体の浸透性を推定するようにしてもよい。
【００４８】
（第３の実施形態）
前述した第１および第２の実施形態１，２においては、マスクを用いて属性データの非エッジデータを間引き処理した後に、その間引かれた非エッジデータを超浸透性インクのみによって記録した。本実施形態では、非エッジデータを記録するために、超浸透性インクのみならず緩浸透インクをも用いる。
【００４９】
本例においては、図７（ｄ）のような間引き率５０％の非エッジデータとは別に、間引き率が２５％のマスクを用いる間引き処理（ステップＳ３）によって、図８（ａ）のような間引き率２０％の非エッジデータを生成する。図８（ｂ）は、図８（ａ）の非エッジデータと図６（ｃ）のエッジデータとの論理和をとったデータである。
【００５０】
図９（ａ）は、記録ヘッド２１〜２６の内のブラックインクに関する３つの記録ヘッド２１，２２，２３を示す。前述したように、記録ヘッド２１および２３から吐出されるエッジ用の黒インクは緩浸透インクであり、記録ヘッド２２から吐出される非エッジ用の黒インクは超浸透インクである。図９（ｂ）は、復方向の走査時における記録ヘッド２１〜２３からのインクの吐出順序の説明図であり、図９（ｃ）は、往方向の走査時における記録ヘッド２１〜２３からのインクの吐出順序の説明図である。
【００５１】
復方向の走査時には、図９（ｂ）のように、まず、図８（ｂ）のデータによって記録ヘッド２１から緩浸透インクを吐出して、外周領域（エッジ部）および内部領域（非エッジ部）を記録する。次に、図８（ａ）のデータによって記録ヘッド２２から超浸透インクを吐出して、内部領域（非エッジ部）にのみを記録する。その後、図７（ｃ）のデータによって記録ヘッド２３から緩浸透インクを吐出して、外周領域（エッジ部）にのみを記録する。
【００５２】
一方、往方向の走査時には、図９（ｃ）のように、まず、図８（ｂ）のデータによって記録ヘッド２３から緩浸透インクを吐出して、外周領域（エッジ部）および内部領域（非エッジ部）を記録する。次に、図８（ａ）のデータによって記録ヘッド２２から超浸透インクを吐出して、内部領域（非エッジ部）にのみを記録する。その後、図７（ｃ）のデータによって記録ヘッド２１から緩浸透インクを吐出して、外周領域（エッジ部）にのみを記録する。
【００５３】
このような往方向および復方向の走査時に、記録ヘッド２２から吐出された超浸透インクは、それよりも先行して記録媒体１７に付与されている緩浸透インクの上に付与される。緩浸透インクは、浸透しにくいインクであって浸透速度が遅いため、記録ヘッド２２から吐出される超浸透インクが記録媒体１７の表面に着弾するまで、記録媒体の表面に留まっている。そのため、緩浸透インクと超浸透インクとが記録媒体の表面上で混合することになり、両者の浸透速度が平均化されて、緩浸透インクのみで記録した領域よりはインクの浸透速度が速くなる。このように、浸透速度が速いインク（緩浸透インクと超浸透インクとの混合インク）によって、画像の内部領域（非エッジ部）を記録することにより、耐擦過性や耐マーカー性を向上させることができる。
【００５４】
往方向および復方向の走査時において、最後続の記録ヘッド（往方向の走査時は記録ヘッド２１、復方向の記録時は記録ヘッド２３）から吐出される緩浸透インクは、それよりも先に記録媒体状に着弾している緩浸透インクの上に着弾する。緩浸透インクは、浸透しにくいインクであって浸透速度が遅いため、その緩浸透インクが最後続の記録ヘッドから吐出されて記録媒体の表面に着弾するまでは、それよりも先に着弾している緩浸透インクが記録媒体の表面に留まっている。先に着弾した緩浸透インクと、後に着弾した緩浸透インクと、が記録媒体の表面で混合しても浸透速度は速くはならない。このように、画像の外周領域（エッジ部）を浸透速度が遅いインクによって記録することにより、画像端部のシャープネスを向上させて、文字や線の記録画像の品位を向上させることができる。
【００５５】
なお、本例では、内部領域（非エッジ部）に対しては、最後続の記録ヘッド（往方向の走査時は記録ヘッド２１、復方向の記録時は記録ヘッド２３）から緩浸透インクを吐出しないが、それを吐出してもよい。その場合には、内部領域の光学濃度が上がるものの、耐擦過性や耐マーカー性が若干低下するおそれがある。最後続の記録ヘッドからインクを付与するか否かは、記録装置毎に設定することができる。先行の記録ヘッド（往方向の走査時は記録ヘッド２３、復方向の記録時は記録ヘッド２１）から吐出する緩浸透インクによって記録される内部領域の記録率は、超浸透インクで記録される内部領域の記録率以下であることが望ましい。記録率は、単位記録領域に対するインクの付与量に相当し、記録データの間引き率に対応する。
【００５６】
本実施形態の場合は、内部領域において超浸透インクと緩浸透インクとを記録媒体上で混合することにより、記録濃度の向上を図りながら、記録媒体上でのブリードやフェザリングの発生を抑えて、高品位の画像を記録することができる。
【００５７】
（他の実施形態）
前述した実施形態においては、浸透性が比較的高いインク（第１のインク）および浸透性が比較的低いインク（第２のインク）として、ブラックのインクを用いた。しかし、このような第１および第２のインクはブラックインクのみに特定されず、略同一色相を有する同色系のインクであればよい。所定の色の文字および線図の内の少なくとも一方を特定画像として、その特定画像を浸透性の異なる第１および第２のインクによって記録することができる。また、第１のインクの色材濃度は、第２のインクの色材濃度よりも高くてもよい。
【００５８】
前述した実施形態の機能は、コンピュータがプログラムを実行することにより実現することができ、そのプログラムおよびそのプログラムを記憶した記憶媒体は本発明を構成することになる。
【符号の説明】
【００５９】
１７  記録媒体
２１〜２６  記録ヘッド
４７  記録制御部
１００  記録装置
１１０  ホストＰＣ（ホスト装置）
【図１】
2012024972.tif 000003
【図２】
2012024972.tif 000004
【図３】
2012024972.tif 000005
【図４】
2012024972.tif 000006
【図５】
2012024972.tif 000007
【図６】
2012024972.tif 000008
【図７】
2012024972.tif 000009
【図８】
2012024972.tif 000010
【図９】
2012024972.tif 000011